(57)【要約】【課題】撮影対象に作用していた風の風向および風速を撮影画像と関連付けて記録できる撮影システムを提供する。【解決手段】風向風速情報送信装置１００は風向および風速を測定してその測定データを無線送信する。デジタルカメラ２００は測定データを受信するとともに撮影方位を測定し、風向（絶対風向）、風速、撮影方位を撮影付属情報に含めて撮影画像と共にメモリカード２１２に記録する。したがって風向風速情報送信装置１００を撮影対象の近傍に設置し、デジタルカメラ２００で撮影対象を撮影することにより、撮影対象に作用していた風の風向や風速を撮影画像と関連付けて記録できる。パソコン３００は、メモリカード２１２に記録されている風向と撮影方位から撮影対象に対する相対的な風向を求めて、相対的な風向および風速を表す風画像を生成し、その風画像を撮影画像に重畳してモニタ３５０に表示する。【選択図】　　　図１
2004120223.tif 000002
【特許請求の範囲】
【請求項１】
撮影対象に関する情報を含む撮影付属情報を、撮影した画像と関連付けて記録する撮影システムにおいて、
撮影対象またはその近傍に設置される風向風速情報送信装置と、撮影対象を撮影するためのデジタルカメラとを備え、
前記風向風速情報送信装置は、
風向および風速を測定する風向風速センサ手段と、
前記風向風速センサ手段による風向および風速の測定データを無線送信する送信手段とを備え、
前記デジタルカメラは、
前記風向風速情報送信装置から送信された測定データを受信する受信手段と、前記受信手段により受信した測定データを前記撮影付属情報に含めて、撮影した画像と共に記録媒体に記録する記録手段とを備えたことを特徴とする撮影システム。
【請求項２】
前記デジタルカメラは、
前記風向および風速の測定データを、撮影した画像に重畳して表示する表示手段を備えたことを特徴とする請求項１記載の撮影システム。
【請求項３】
前記デジタルカメラは、
撮影方位を測定する電子コンパス手段と、
前記受信手段により受信した測定データと前記電子コンパス手段により測定した撮影方位の測定データとを前記撮影付属情報に含めて、撮影した画像と共に記録媒体に記録する記録手段とを備えたことを特徴とする請求項１または２記載の撮影システム。
【請求項４】
前記記録媒体から読み出した風向および撮影方位の測定データに基づいて、撮影対象に対する相対的な風向を求める相対風向算出手段と、
前記相対的風向値算出手段により求めた相対的な風向と前記記録媒体から読み出した風速の測定データとに基づいて、撮影対象に対する相対的な風向および風速を表す風画像を生成する風画像生成手段と、
前記風画像生成手段により生成した風画像を、撮影した画像に重畳して表示する表示手段とを有する画像表示装置を備えたことを特徴とする請求項３記載の撮影システム。
前記風向風速情報送信装置から送信された測定データを受信する受信手段と、前記受信手段により受信した測定データを前記撮影付属情報に含めて、撮影した画像と共に記録媒体に記録する記録手段とを備えたことを特徴とする撮影システム。
【請求項５】
撮影時に撮影対象に作用していた風の風向および風速の測定データを、撮影した画像と共に記録した記録媒体と、
前記記録媒体から読み出した風向および風速の測定データを、撮影した画像に重畳して表示する表示手段とを備えたことを特徴とする画像表示装置。
【請求項６】
撮影時に撮影対象に作用していた風の風向、風速および撮影方位の測定データを、撮影した画像と共に記録した記録媒体と、
前記記録媒体から読み出した風向および撮影方位の測定データに基づいて、撮影対象に対する相対的な風向を求める相対風向算出手段と、
前記相対的風向値算出手段により求めた相対的な風向と前記記録媒体から読み出した風速の測定データとに基づいて、撮影対象に対する相対的な風向および風速を表す風画像を生成する風画像生成手段と、
前記風画像生成手段により生成した風画像を、撮影した画像に重畳して表示する表示手段とを有することを特徴とする画像表示装置。
【請求項７】
請求項４、５、６のいずれかに記載の画像表示装置としてコンピュータシステムを機能させるための画像表示プログラム。
【発明の詳細な説明】
【０００１】
【発明の属する技術分野】
本発明は、撮影対象に関する情報を含む撮影付属情報を、撮影した画像と関連付けて記録する撮影システムに関する。
【０００２】
【従来の技術】
従来、工事現場や製造工場等における作業状況をデジタルカメラで撮影し記録するカメラシステムが知られている（特許文献１参照）。このカメラシステムは、撮影すべき個々の画像に関する撮影付属情報（撮影対象（工事名や品名）、寸法、撮影年月日、撮影場所など）を、画像データベース管理用のコンピュータで作成し、作成した撮影付属情報をデジタルカメラに送信し記憶させ、撮影した画像データと撮影付属情報とを関連付けて記録し、さらに撮影した画像と撮影付属情報をコンピュータに送信して、管理するものである。撮影付属情報は、その日に撮影しなければならない画像について作成されるので、撮影付属情報にしたがって撮影を行い、撮影済の撮影付属情報と撮影前の撮影付属情報とを識別する情報を管理することにより、撮影もれの防止を図ることもできる。
【０００３】
【特許文献１】
特開２００１−２４９８２号公報
【０００４】
【発明が解決しようとする課題】
しかし、上記文献記載のカメラシステムでは、撮影時に撮影対象に作用していた風の情報すなわち風向や風速を撮影付属情報に含めて記録することはできない。また、撮影年月日や撮影場所といった情報（スカラ情報）に関しては、それらの情報を撮影した画像と単純に並列に表示しても不都合はないが、風の情報（ベクトル情報）は撮影対象と空間的に相関（撮影の向きと風向きとの相対関係）があるため、その値を画像と単純に並列に表示したのでは直感的に把握するのは困難である。
【０００５】
本発明は、上記事情に鑑みなされたもので、撮影時に撮影対象に作用していた風の風向および風速を撮影画像と関連付けて記録することができる撮影システムを提供し、さらに、風向および風速の測定データや、撮影対象に対する相対的な風向および風速を表す風画像を、撮影画像に重畳して表示することができる撮影システムおよび画像表示蔵置を提供することを目的とするものである。
【０００６】
【課題を解決するための手段】
上記目的を達成するために、本発明の撮影システムは、撮影対象に関する情報を含む撮影付属情報を、撮影した画像と関連付けて記録する撮影システムにおいて、撮影対象またはその近傍に設置される風向風速情報送信装置と、撮影対象を撮影するためのデジタルカメラとを備え、前記風向風速情報送信装置は、風向および風速を測定する風向風速センサ手段と、前記風向風速センサ手段による風向および風速の測定データを無線送信する送信手段とを備え、前記デジタルカメラは、前記風向風速情報送信装置から送信された測定データを受信する受信手段と、前記受信手段により受信した測定データを、前記撮影付属情報に含めて撮影した画像と共に記録媒体に記録する記録手段とを備えた。
【０００７】
上記のように構成したことにより、風向風速情報送信装置は、撮影対象に作用している風の風向および風速を測定してその測定データを無線送信する。デジタルカメラは、風向風速情報送信装置から送信された風向および風速の測定データを受信するとともに、撮影方位を測定し、風向および風速の測定データと撮影方位の測定データとを、撮影付属情報に含めて撮影した画像と共に記録媒体に記録する。
【０００８】
したがって、本発明の撮影システムによれば、風向風速情報送信装置を撮影対象またはその近傍に設置して、デジタルカメラで撮影対象を撮影することにより、撮影時に撮影対象に作用していた風の風向や風速を、撮影画像と関連付けて記録することができる。
【０００９】
本発明の撮影システムにおいて、前記デジタルカメラは、前記風向および風速の測定データを、撮影した画像に重畳して表示する表示手段を備えていることが望ましい。
【００１０】
本発明の撮影システムにおいて、前記デジタルカメラは、撮影方位を測定する電子コンパス手段と、前記受信手段により受信した風向および風速の測定データと前記電子コンパス手段により測定した撮影方位の測定データとを前記撮影付属情報に含めて、撮影した画像と共に記録媒体に記録する記録手段とを備えていることが望ましい。
【００１１】
本発明の撮影システムは、更に、前記記録媒体から読み出した風向および撮影方位の測定データに基づいて、撮影対象に対する相対的な風向を求める相対風向算出手段と、前記相対的風向値算出手段により求めた相対的な風向と前記記録媒体から読み出した風速の測定データとに基づいて、撮影対象に対する相対的な風向および風速を表す風画像を生成する風画像生成手段と、前記風画像生成手段により生成した風画像を、撮影した画像に重畳して表示する表示手段とを有する画像表示装置を備えていることが望ましい。
【００１２】
また、上記目的を達成するために、本発明の画像表示装置は、撮影時に撮影対象に作用していた風の風向および風速の測定データを、撮影した画像と共に記録した記録媒体と、前記記録媒体から読み出した風向および風速の測定データを、撮影した画像に重畳して表示する表示手段とを備えたものである。
【００１３】
本発明の別の画像表示装置は、撮影時に撮影対象に作用していた風の風向、風速および撮影方位の測定データを、撮影した画像と共に記録した記録媒体と、前記記録媒体から読み出した風向および撮影方位の測定データに基づいて、撮影対象に対する相対的な風向を求める相対風向算出手段と、前記相対的風向値算出手段により求めた相対的な風向と前記記録媒体から読み出した風速の測定データとに基づいて、撮影対象に対する相対的な風向および風速を表す風画像を生成する風画像生成手段と、前記風画像生成手段により生成した風画像を、撮影した画像に重畳して表示する表示手段とを有するものである。
【００１４】
本発明の画像表示プログラムは、コンピュータシステムを上記画像表示装置として機能させる。
【００１５】
【発明の実施の形態】
以下、本発明の実施の形態について、図面を用いて説明する。図１は、本発明が適用される撮影システムの全体構成を例示する構成図である。この撮影システムは、風向風速情報送信装置１００と、デジタルカメラ２００と、画像表示装置として使用されるパソコン（パーソナルコンピュータ）３００とを備えて構成される。
【００１６】
図２は、風向風速情報送信装置１００の構成例を示すブロック図である。風向風速情報送信装置１００は、風向風速センサ１０１、入出力インタフェース１０２、システムメモリ（ＲＯＭ／ＲＡＭ）１０３、ＣＰＵ１０４、無線インタフェース１０５、および送信アンテナ１０６を備えて構成されている。
【００１７】
風向風速センサ１０１は、風向および風速を測定するためのセンサである。風向風速センサ１０１による測定データは、入出力インタフェース１０２を介してシステムメモリ１０３内のＲＡＭに順次取り込まれる。ＣＰＵ１０４は、システムメモリ１０３内のＲＯＭに格納されているプログラムに従って動作し、風向風速センサ１０１からＲＡＭに取り込まれた測定データを、無線インタフェース１０５および送信アンテナ１０６を介して無線送信する。
【００１８】
図３は、風向風速情報送信装置１００の設置例を示す概略斜視図である。この例では、風向風速情報送信装置１００は、建設中のビル３００上に設置された建設用クレーン３０１の上端に取り付けられている。
【００１９】
図４は、デジタルカメラ２００の外観構造を例示する斜視図である。デジタルカメラ２００は、電源スイッチ２０１、レリーズボタン２０２、モニタ用ＬＣＤ２０３など、一般的なデジタルカメラの構成要素の他に、風向風速情報送信装置１００からの測定データを受信するための測定データ受信用アンテナ２０４と、ＧＰＳ（Ｇｌｏｂａｌ　Ｐｏｓｉｔｉｏｎｉｎｇ　Ｓｙｓｔｅｍ　）信号受信用アンテナ２０５を備えている。アンテナ２０４、２０５はカメラ本体２６６の上面部に設けられている。モニタ用ＬＣＤ２０３はカメラ本体２６６の背面部に設けられており、カメラ本体２６６の前面部には撮像用のレンズ２０５ａ（図５参照）が設けられている。
【００２０】
図５は、デジタルカメラ２００の構成例を示すブロック図である。デジタルカメラ２００は、上述したモニタ用ＬＣＤ２０３、アンテナ２０４、２０５などの他に、撮像部２０５、信号処理部部２０６、Ａ／Ｄ変換部２０７、ストロボ制御部２０８、ストロボ２０９、圧縮／伸張部２１０、メモリカードスロット２１１、メモリカード２１２、カードインタフェース２１３、フレームメモリ２１４、ＬＣＤ制御部２１５、入出力インタフェース２１８、操作部２１９、無線インタフェース２２０、ＧＰＳ受信回路２２１、電子コンパス２２２、ＣＰＵ２２３、システムメモリ２２４、不揮発性メモリ２２５、タイマ２２６、カレンダ時計２２７、ＯＳＤ２２８、およびバッテリ２２９を備えて構成されている。
【００２１】
デジタルカメラ２００は、撮像部２０５、信号処理部部２０６、Ａ／Ｄ変換部２０７によって、デジタル撮影画像信号を得る。また、ストロボ制御部２０８によってストロボ２０９を発光させて、ストロボ撮影を行うことも可能である。デジタル撮影画像信号は、圧縮／伸張部２１０によって圧縮処理が施され、メモリカードスロット２１１に装着されたメモリカード２１２にカードインタフェース２１３を介して記録される。メモリカード２１２への記録は、圧縮された画像データと撮影付属情報を含む画像ファイル単位で行われる。
【００２２】
メモリカード２１２に記録された画像データに基づく画像を表示する場合は、メモリカード２１２から読み出した画像データに対して、圧縮／伸張部２１０で伸張処理を施し、フレームメモリ２１４に書き込む。ＬＣＤ制御部２１５は、フレームメモリ２１４のデータに応じた画像をモニタ用ＬＣＤ２０３に表示させる。モニタ用ＬＣＤ２０３は、メモリカード２１２の画像データに基づく画像だけでなく、Ａ／Ｄ変換部２０７から得られるデジタル撮像信号に基づく画像を表示することもできる。また、デジタルカメラ２００の各種状態の表示、操作メニューの表示等にも利用される。
【００２３】
入出力インタフェース２１８は、操作部２１９に接続され、デジタルカメラ２００の各種操作情報を入力するとともに、デジタルカメラ２００の状態表示用のＬＥＤに対する信号を出力するものである。操作部２１９は、上述した電源スイッチ２０１、レリーズボタン２０２の他、モード設定ダイヤル２３０、方向キー２３１、メニューボタン２３２，実行ボタン２３３、キャンセルボタン２３４などを備えている（図４参照）。
【００２４】
無線インタフェース２２０は、測定データ受信用アンテナ２０４を介して風向風速情報送信装置１００からの測定データを受信し取り込むためのインタフェース回路である。無線通信としては、Ｂｌｕｅｔｏｏｔｈ、無線ＬＡＮ等が利用できる。ＧＰＳ受信回路２２１は、ＧＰＳ信号受信用アンテナ２０５により同時に４つの衛星からの情報を受信して距離を測定し、４個の方程式を解くことにより受信場所の位置（緯度、経度等）情報や受信時刻の時刻情報を測定する。電子コンパス２２２は、撮像部２０５のレンズ２０５ａの向きすなわち、撮影方位を測定する。
【００２５】
ＣＰＵ２２３は、デジタルカメラ２００全体の動作を制御するもので、システムメモリ２２４内のＲＯＭに格納されたプログラムに従って動作する。ＣＰＵ２２３は、撮影動作、画像記録動作、画像表示動作を制御するだけでなく、後述する撮影付属情報の記録管理も行う。システムメモリ２２４および不揮発性メモリ２２５は、デジタルカメラ２００内での各種処理に利用されるデータ、プログラムを記憶したり、作業用メモリとして利用されたりするものであり、タイマ２２６、カレンダ時計２２７は、各種処理タイミングの制御、各種情報の記録管理等に利用される。システムバス２３０は、デジタルカメラ２００の各要素間のデータを転送するものである。
【００２６】
デジタルカメラ２００は、風向風速情報送信装置１００から得た測定データ（風向、風速）、電子コンパス２２２による測定データ（撮影方位）、およびＧＰＳにより得た現在位置情報や現在時刻情報を撮影付属情報に含めて、撮影画像とともに所定フォーマットの画像ファイルに納めてメモリカード２１２に記録する。メモリカード２１２には、デジタルカメラ２００によって撮影された撮影画像とその撮影付属情報を含む複数の画像ファイルが記録される。そしてデジタルカメラ２００は、ユーザにより指定された画像ファイルをメモリカード２１２から読み出して、その画像ファイルに格納されている撮影画像と風向および風速の測定データとを重畳してモニタ用ＬＣＤ２０３に表示できるようになっている（図４参照）。
【００２７】
画像ファイルを記録したメモリカード２１２をデジタルカメラ２００から取り外し、パソコン３００のメモリカードドライブ３２０に挿入することにより、メモリカード２１２に記録した画像ファイルをパソコン３００に転送することができる。
【００２８】
パソコン３００は、メモリカードドライブ３２０に挿入されたメモリカード２１２から画像ファイルを読み取り、ハードディスク等の内蔵記憶装置（以下、ＤＢと記す）に保管する。
【００２９】
パソコン３００には、本発明に係る画像表示プログラムがインストールされている。画像表示プログラムを実行することにより、パソコン３００は、特許請求の範囲に記載の相対風向算出手段、風画像生成手段、表示手段などを有する画像表示装置として機能する。
【００３０】
画像表示プログラムは、ユーザにより指定された画像データをＤＢから読み出し、その画像データに含まれている風向の測定データと撮影方位の測定データとに基づいて、撮影対象に対する相対的な風向（撮影方向を基準とした風向）を求める。そして、相対的な風向と風速の測定データとに基づいて、撮影対象に対する相対的な風向および風速を表す矢印画像（風画像）を生成し、その矢印画像を、撮影した画像に重畳してモニタ３５０に表示する。
【００３１】
図６は、メモリカード２１２に記録される画像ファイル２５０のデータ構造を例示している。画像ファイル２５０は、タグ（Ｔａｇ）情報２５１、サムネイル２５２、および主画像２５３を含んで構成される。タグ（Ｔａｇ）情報２５１には、デジタルカメラ２００が風向風速情報送信装置１００から得た風向および風速、電子コンパス２２２により測定した撮影方位、ＧＰＳにより取得した撮影位置情報（緯度、経度）および撮影時刻情報（年、月、時、分、秒）の他、撮影モード、タイトル、ホワイトバランス、フォーカスなどの付属情報が格納される。この例では、風向はＮＮＥ（北北東）、風速は８ｍ／ｓ、撮影方位は真東（Ｎ（北）を基準（０度）にしてＥ（東）に９０度）となっている
【００３２】
図７は、図６の画像ファイル２５０の場合における撮影方向（撮影方位）と風向との関係を示したものであり、撮影方向を基準とすると、風向は相対的に反時計回りの方向に６０度となる。
【００３３】
図８は、パソコン３００のモニタ３５０に表示される画像表示プログラムの実行画面すなわち、画像ファイル２５０をオープンしたときの表示画面の例を示している。表示画面は、撮影画像表示ウインドウ３５１と、撮影付属情報表示ウインドウ３５２と、クリックボックス３５３ａ、３５３ｂとから構成される。撮影画像表示ウインドウ３５１には、画像ファイル２５０に納められている主画像２５３すなわち撮影画像が表示されると共に、図７で求められた相対的な風向および風速を表す半透明の矢印画像３５４が重畳して表示される。撮影付属情報表示ウインドウ３５２には、画像ファイル２５０のＴａｇ情報の内容が表示される。
【００３４】
ユーザは、矢印画像３５４の表示／非表示をクリックボックス３５３ａ、３５３ｂを操作することにより選択できる。選択操作はパソコン３００に接続されているマウス等の入力装置を使用してなされる。図示の例では、矢印画像３５４の表示時は「風向風速を表示しない」のクリックボックス３５３ｂがアクティブとなり、「風向風速を表示する」のクリックボックス３５３ａが非アクティブ（グレーアウト表示）となっている。
【００３５】
矢印画像３５４の長さは風速に比例している。すなわち、風速に応じて異なる長さの矢印画像３５４が表示される。したがって、たとえば図８と風向が同じで、風速が半分すなわち４ｍ／ｓの場合は、図９のような表示となる。
【００３６】
上記のように構成した撮影システムによれば、風向風速情報送信装置１００を撮影対象またはその近傍に設置して、その撮影対象をデジタルカメラ２００で撮影することにより、撮影時に撮影対象に作用していた風の風向や風速を、撮影画像と関連付けて記録することができる。
【００３７】
また、デジタルカメラ２００のモニタ用ＬＣＤ２０３に、撮影時における風向および風速の測定データを撮影画像に重畳して表示することができるので、各撮影画像の撮影時における風向および風速を撮影現場で容易に確認することができる。
【００３８】
また、デジタルカメラ２００を使用することにより、風向（絶対風向）および風速の測定データと撮影方位の測定データとを撮影付属情報に含めて、撮影画像と共にメモリカード２１２に記録することができるので、メモリカード２１２に記録されている風向（絶対風向）と撮影方位とに基づいて、撮影方位を基準とした相対的な風向を算定することができる。
【００３９】
また、メモリカード２１２に記録した画像データ２５０をパソコン３００で読み出し、その画像データ２５０に含まれる風向（絶対風向）と撮影方位の測定データから撮影対象に対する相対的な風向を求めて、相対的な風向および風速を表す矢印画像３５４を生成し、その矢印画像３５４を撮影画像に重畳してパソコン３００のモニタ３５０に表示するようにしたので、撮影時に撮影対象に作用していた風の風向や風速をモニタ３５０に表示された画像を見ることにより、直感的に把握することができる。
【００４０】
なお、上記の実施の形態では、撮影対象に対する相対的な風向および風速を表す矢印画像３５４を生成し、その矢印画像３５４を撮影画像に重畳して表示する機能を備えた画像表示装置をパソコン３００を用いて実現しているが、この画像表示装置の機能をデジタルカメラ２００に持たせてもよい。
【００４１】
また、上記の実施の形態では、撮影対象に対する相対的な風向および風速を表す風画像として矢印画像３５４を表示するようにしたが、より現実的な風を想起させる風画像を表示するようにしても、風を表す矢印を動画像で表示してもよい。また、風画像は半透明である必要は必ずしもない。
【００４２】
【発明の効果】
以上説明したように、本発明の撮影システムによれば、風向風速情報送信装置を撮影対象またはその近傍に設置して、デジタルカメラで撮影対象を撮影することにより、撮影時に撮影対象に作用していた風の風向や風速を、撮影画像と関連付けて記録することができる。
【００４３】
また、本発明の画像表示装置によれば、撮影時における風向および風速の測定データを撮影画像に重畳して表示することができるので、各撮影画像の撮影時における風向および風速を容易に確認することができる。
【００４４】
また、撮影時における風向および風速を表す風画像を撮影画像に重畳して表示するようにしたので、撮影時に撮影対象に作用していた風の風向や風速を、表示された画像を見ることにより、直感的に把握することができる。
【図面の簡単な説明】
【図１】本発明が適用される撮影システムの全体構成を例示する構成図である。
【図２】風向風速情報送信装置の構成例を示すブロック図である。
【図３】風向風速情報送信装置の設置例を示す概略斜視図である。
【図４】デジタルカメラの外観構造を例示する斜視図である。
【図５】デジタルカメラの構成例を示すブロック図である。
【図６】メモリカードに記録される画像ファイルのデータ構造を例示する図である。
【図７】図６の画像ファイルの場合における撮影方位と風向との関係を示した図である。
【図８】画像表示プログラムの実行画面の表示例を示す図である。
【図９】画像表示プログラムの別の実行画面の表示例を示す図である。
【符号の説明】
１００：風向風速情報送信装置
１０１：風向風速センサ
１０６：送信アンテナ（送信手段）
２００：デジタルカメラ
２０３：モニタ用ＬＣＤ（表示手段）
２０４：測定データ受信用アンテナ（受信手段）
２１２：メモリカード（記録媒体）
２２２：電子コンパス
２５３：主画像（撮影画像）
３５４：矢印画像（風画像）
３００：パーソナルコンピュータ（画像表示装置）
３０１：建設用クレーン（撮影対象）
３５４：矢印画像（風画像）
【図１】
2004120223.tif 000003
【図２】
2004120223.tif 000004
【図３】
2004120223.tif 000005
【図４】
2004120223.tif 000006
【図５】
2004120223.tif 000007
【図６】
2004120223.tif 000008
【図７】
2004120223.tif 000009
【図８】
2004120223.tif 000010
【図９】
2004120223.tif 000011